(57)【要約】【課題】少ない労力で多量のパチンコ玉を効率よく運搬でき、その上、遊技機付近にパチンコ玉を一時的に保管できるパチンコ玉運搬車を提供する。【解決手段】パチンコ玉収容箱１３を載せる載台２と該載台を載置する台車３とを含むパチンコ玉運搬車１であって、載台２は、パチンコ玉収容箱を載せる載置面２１ａを有する載置天板２１及び側壁脚部２２を備え、台車３は、前後に２対の車３７，３８、ハンドル３５を有する固定フレーム３２、固定フレーム３２上を上下前後に移動可能な可動天板３１並びに該天板を固定フレーム３２上を上下前後に移動可能な作動機構を備える。【選択図】図１
2007313366.tif 000002
【特許請求の範囲】
【請求項１】
前・後方向と、前記前・後方向と直交する横方向と、前記前・後方向又は前記横方向と直交する上・下方向を有し、
前記前・後方向に対向して前記横方向へ延びる前・後端部及び前記横方向に対向して前記前・後方向へ延びる両側縁部によって画成され、前記前・後端部の近傍にそれぞれ一対の車輪及び前記後端部に手押し操作のためのハンドルが位置する固定フレームと、前記固定フレーム上に位置する可動天板と、前記後端部の近傍における前記可動天板に前記上方向へ突出する台止めと、前記固定フレームと前記可動天板との間に、該可動天板を該固定フレームに連結支持され前記上方向への高位置と前記下方向への低位置とへ交互に移動させるための作動機構とを有する台車を含むパチンコ玉運搬車において、
前記運搬車は、さらに載台を含み、
前記載台は、
前記前・後方向に対向し前記横方向へ延びる第１及び第２端部並びに前記横方向に対向し前記前・後方向へ延びる両側縁部から画成され、パチンコ玉収容箱のための載置面及び該載置面に前記パチンコ玉収容箱の移動に対する防止手段を有する載置天板部と、
前記横方向に対向して前記両側縁部から前記下方向へ延び床面に当接する両側壁脚部と、
前記載置天板部及び前記両側壁脚部によって画成され、前記第１及び第２端部に第１及び第２開口が位置する前記台車のための案内スペースとを有し、
前記案内スペースは、
前記台車の前記前端部を前記案内スペースの前記第１又は第２開口に向け、該開口から前記案内スペースに対して進入・退却させることができるように、前記上・下方向の高さ寸法が、前記台車の前記可動天板を前記低位置に移動させたときの該台車の高さ寸法よりも大きくされているとともに、前記横方向の寸法が前記車輪を含む前記台車の前記横方向の寸法よりも大きくされており、かつ、
前記上・下方向の高さ寸法が、前記台車を前記案内スペースへ進入させて前記台車の前記可動天板を前記高位置に移動させることにより、前記載台の前記両側壁脚部を前記床面から前記上方向へ離間させた状態で前記載台を前記台車で支持して該台車を移動させることができるように、前記台車の前記可動天板を前記高位置に移動させたときの高さ寸法よりも小さくされていることを特徴とする前記運搬車。
【請求項２】
前記防止手段は、前記載置面に前記前・後方向に対向して該載置面から前記上方向へ突出する箱止めである請求項１に記載の運搬車。
【請求項３】
前記作動機構は、
前記固定フレームの前記前端部の近傍に位置する板止めと、
前記固定フレームと前記可動天板との間に、前記前・後方向へ離間し、前記固定フレームと前記可動天板とに支持される各軸を介し、かつ、前記固定フレームにおける前記各軸を支点として前記前・後方向へ揺動可能な一対のリンクとを含み、
前記リンクを介して、前記可動天板を前記低位置と前記高位置との間において前後動させ、前記板止めに前記可動天板の前記後端部を衝接させることによって該可動天板の前記後方向への移動を停止させる構造を含む請求項１または２に記載のパチンコ玉運搬車。
【発明の詳細な説明】
【技術分野】
【０００１】
本発明は、遊技場におけるパチンコ玉運搬車に関する。
【背景技術】
【０００２】
遊技場において、パチンコ、スロットマシン又はスマートボールのような遊技機が設置されている。遊技者はそれぞれの遊技機で遊技を楽しむ。遊技者は、パチンコ玉をパチンコ玉払い出し機で受け取り又は遊技機から直接パチンコ玉の供給を受け、遊技を楽しむ。また、遊技の途中で遊技機を変えたりする。遊技が終了すると、収得したパチンコ玉を計数機のところに運び、計数後カウンターでパチンコ玉の数に対応する賞品を受領する。これらの動きの中で、パチンコ玉を遊技機まで運搬し、遊技機から遊技機までパチンコ玉を運搬し、また、遊技機から玉計数機までパチンコ玉を運搬する。このパチンコ玉の運搬に際して、特に、パチンコ玉の量が多い場合には、パチンコ玉の運搬が問題になる。このような場合には、パチンコ玉の運搬用台車が必要になる。特に、大当たりで玉が多数で出た場合には、多数のパチンコ玉を収容する箱及び該パチンコ玉収容箱を移動させるための台車が必要になる。
【０００３】
現在使用されているパチンコ玉運搬用台車は、車の付いた台車にパチンコ玉を入れたパチンコ玉収容箱を載せるものが多い。パチンコ玉収容箱には、概ね１箱当たり１０ｋｇ程度のパチンコ玉が入っているので、そのパチンコ玉収容箱を台車に載せる作業、パチンコ玉を運搬する作業は、肉体的に大きな負担になっている。
【０００４】
パチンコ玉の運搬を容易にする台車が求められる。パチンコ玉運搬用の台車としては、実開平６−４８７７４号、実用新案登録第３０３８０８２号、実用新案登録第３０３９６９８号に記載されているようにキャスター付きの台車に手押しハンドルを設けたものが多い。このタイプでは、パチンコ玉を遊技機のそばに置く場合には手押しハンドルが邪魔になる。これに対して、実用新案登録第３０３２１５４号、実用新案登録第３０２６０３７号、特開平９−３２３６５４号に記載されているように、この手押しハンドルを装脱着可能にしたものもある。この場合は、ハンドルの装脱着が面倒になるという問題がある。その他、台車の移動を人力ではなく、特開平９−３０８７６５号に記載されているように動力にしたもの、パチンコ玉収容箱の台車への上げ下ろしに、特開平９−１０４５９５号、特開平８−３２３０３６号、特開平７−２９１１３０号に記載されているように、昇降機を備えたものがある。パチンコ玉運搬用には少なくとも２００台程度の多数の台車を配置しなければならないので、上記の台車では、台車の収納用に広いスペースが必要となる。また、遊技機のそばに置いてある台車に脚を載せて転倒するという事故が起こるという問題がある。更に、これらの台車は、外力により容易に台車の方向が変わり、不測の事故が起こりやすいことが指摘されている。
【０００５】
更に、平行上下運動が可能なバーを備えて、該バーでパチンコ玉収容箱を運搬する台車が特開平２００１−２０４９５４号に記載され、側面に張り出し部を備えたパチンコ玉収容箱を運搬する台車で、該張り出し部と係合する係合部材を設けた台車が、実用新案登録第３０３９６９７号、特開平８−２０７７７７号、特開平８−２０７７７８号に記載されている。しかしながら、これらの台車は、パチンコ玉収容箱を台車に対して平行な方向に載せるので、搭載可能なパチンコ玉の量が少なくなるという問題がある。
【発明の開示】
【発明が解決しようとする課題】
【０００６】
パチンコ玉運搬車は、少ない労力で多量のパチンコ玉を容易に運搬でき、その上、遊技機付近に一時的に保管できるものが求められている。更に、遊技機付近に一時的に保管している場合に、パチンコ玉の量が外見上多く見える、運搬車の移動が簡単である、事故が起きない、多数のパチンコ玉が簡単に運搬できる、というものが求められている。本発明は、これらの問題をクリアしたパチンコ玉運搬車を提供しようとするものである。
【０００７】
従来、パチンコ玉収容箱を直接床面に置き、運搬が必要な場合にパチンコ玉収容箱運搬用の台車を用意するか、パチンコ玉運搬車の上に直接パチンコ玉収容箱を載せていた。これに対して、本発明者等は、パチンコ玉収容箱を載せる載台を設け、該載台を載置する台車とからなるパチンコ玉を運搬する方式を着想し、本発明を完成させたのである。
【課題を解決するための手段】
【０００８】
本発明は、前・後方向と、前記前・後方向と直交する横方向と、前記前・後方向又は前記横方向と直交する上・下方向を有し、前記前・後方向に対向して前記横方向へ延びる前・後端部及び前記横方向に対向して前記前・後方向へ延びる両側縁部によって画成され、前記前・後端部の近傍にそれぞれ一対の車輪及び前記後端部に手押し操作のためのハンドルが位置する固定フレームと、前記固定フレーム上に位置する可動天板と、前記後端部の近傍における前記可動天板に前記上方向へ突出する台止めと、前記固定フレームと前記可動天板との間に、該可動天板を該固定フレームに連結支持され前記上方向への高位置と前記下方向への低位置とへ交互に移動させるための作動機構とを有する台車を含むパチンコ玉運搬車を前提とする。
【０００９】
本発明は、前記構成において、前記運搬車が、さらに載台を含む。前記載台は、前記前・後方向に対向し前記横方向へ延びる第１及び第２端部並びに前記横方向に対向し前記前・後方向へ延びる両側縁部から画成され、パチンコ玉収容箱のための載置面及び該載置面に前記パチンコ玉収容箱の移動に対する防止手段を有する載置天板部と、前記横方向に対向して前記両側縁部から前記下方向へ延び床面に当接する両側壁脚部と、前記載置天板部及び前記両側壁脚部によって画成され、前記第１及び第２端部に第１及び第２開口が位置する前記台車のための案内スペースとを有する。前記案内スペースは、前記台車の前記前端部を前記案内スペースの前記第１又は第２開口に向け、該開口から前記案内スペースに対して進入・退却させることができるように、前記上・下方向の高さ寸法が、前記台車の前記可動天板を前記低位置に移動させたときの該台車の高さ寸法よりも大きくされているとともに、前記横方向の寸法が前記車輪を含む前記台車の前記横方向の寸法よりも大きくされており、かつ、前記上・下方向の高さ寸法が、前記台車を前記案内スペースへ進入させて前記台車の前記可動天板を前記高位置に移動させることにより、前記載台の前記両側壁脚部を前記床面から前記上方向へ離間させた状態で前記載台を前記台車で支持して該台車を移動させることができるように、前記台車の前記可動天板を前記高位置に移動させたときの高さ寸法よりも小さくされている、ことを特徴とする。
【００１０】
本発明は、好ましい実施の形態を含む。
【００１１】
前記防止手段は、前記載置面に前記前・後方向に対向して該載置面から前記上方向へ突出する箱止めである。
【００１２】
前記作動機構は、前記固定フレームの前記前端部の近傍に位置する板止めと、前記固定フレームと前記可動天板との間に、前記前・後方向へ離間し、前記固定フレームと前記可動天板とに支持される各軸を介し、かつ、前記固定フレームにおける前記各軸を支点として前記前・後方向へ揺動可能な一対のリンクとを含み、前記リンクを介して、前記可動天板を前記低位置と前記高位置との間において前後動させ、前記板止めに前記可動天板の前記後端部を衝接させることによって該可動天板の前記後方向への移動を停止させる構造を含む。
【発明の効果】
【００１３】
本発明に係るパチンコ玉運搬車は、パチンコ玉収容箱を載せる載台と該載台を載置する台車とを組み合わせることで構成される。パチンコ玉を一時的に保管する場合は、載台のみを使用し、パチンコ玉を運搬するときには台車を載台の所まで運んで載台を台車に載せればよい。従って、台車が遊技者の邪魔になることが極めて少なくなり、不測の事故が起こりにくくなり、準備する台車の数を減らすことができ、それに伴い、台車保管のために必要なスペースを広く取る必要が無くなる。少ない労力で多量のパチンコ玉を容易に運搬できることはいうまでもない。
【００１４】
本発明によれば、特に、載台の案内スペースがその前後に開口を有するから、台車を前後の開口のいずれかから案内スペースに進入させることができる。従って、載台が遊戯場の狭い所に置かれていても、その場の状況やその開口の向きに応じて、その開口のいずれかに台車を向けて案内スペースに進入させて、台車に載台を容易に支持させることができる。
【発明を実施するための最良の形態】
【００１５】
図１〜図５において、運搬車１は、前・後方向Ｘ、前・後方向と直交する横方向Ｙ、及び、前・後及び横方向と直交する上・下方向Ｚを有し、載台２と台車３とから構成される。
【００１６】
載台２は、基本的構成として、前・後方向に対向し横方向へ延びる第１及び第２端部２ａ，２ｂ並びに横方向に対向し前・後方向へ延びる両側縁部２ｃから画成される。載台２は、さらに、パチンコ玉収容箱１３のための載置面２１ａ及び載置面２１ａに前・後方向に対向して幅方向へ延びて載置面２１ａから上方向へ突出する一対の箱止め２３，２４を有する載置天板部２１と、横方向に対向して両側縁部２ｃから下方向へ延び遊技場の床面２５に当接する両側壁脚部２２と、載置天板部２１及び両側壁脚部２２によって画成され、第１及び第２端部２ａ，２ｂに第１及び第２開口２ｅ，２ｆが位置する台車３のための案内スペース２ｄとを有する。
【００１７】
台車３は、基本的構成として、前・後方向に対向して横方向へ延びる前・後端部３ａ，３ｂ及び横方向に対向して前・後方向へ延びる両側縁部３ｃによって画成される。台車３は、さらに、前・後端部３ａ，３ｂの近傍にそれぞれ一対の車輪３７，３８及び後端部３ｂに手押し操作のためのハンドル３５が位置する固定フレーム３２と、固定フレーム３２上に位置する可動天板３１と、後端部３ｂの近傍における可動天板３１に横方向へ延びて上方向へ突出する台止め３４とを有する。
【００１８】
載台２の案内スペース２ｄは、台車３の前端部３ａを案内スペース２ｄの第１開口２ｅ又は第２開口２ｆ（図示の場合は、開口２ｆ）に向け、該開口から案内スペース２ｄに対して進入・退却させることができるように、上・下方向の後記高さ寸法Ｈ１が、後述するように、台車３の可動天板３１を後記低位置に移動させたときの台車３の高さ寸法Ｈ２よりも大きくされているとともに、横方向の寸法Ｗ１が車輪３７，３８を含む台車３の横方向の寸法Ｗ２よりも大きくされており、かつ、上・下方向の後記高さ寸法Ｈ１が、台車３を案内スペース２ｄへ進入させて台車３の可動天板３１を後記高位置に移動させることにより、載台２の両側壁脚部２２を遊技場の床面２５から上方向へ離間させた状態で、すなわち、持ち上げた状態で、載台２を台車３で支持して該台車を移動させることができるように、台車３の可動天板３１を後記高位置に移動させたときの高さ寸法Ｈ３よりも小さくされている。
【００１９】
パチンコ玉は、遊技機付近に置かれた載台２の上に置かれたパチンコ玉収容箱１３に入れられる。パチンコ玉を運搬するに際しては、載台２ごとパチンコ玉収容箱を台車３に載せて運搬する。パチンコ玉収容箱１３は、一対の箱止め２３，２４で係止され安定して、載台２の載置面２１ａ上に置くことができる。すなわち、一対の箱止め２３，２４が、載置面２１ａの前後方向に対向するように配置されていることによって、運搬時における位置ずれを防止することに加え、載台２とは別体の台車３に該載台２を載置するときに位置ずれをも防止することができる。載台２上には、複数のパチンコ玉収容箱１３を載せることができる。載台２に載せるパチンコ玉収容箱１３の数は、パチンコ玉の量次第であるが、１０箱程度は載せることができる。多くのパチンコ玉を収容するために、載台２には少なくとも２列にパチンコ玉収容箱１３を並べて載せることができる。
【００２０】
パチンコ玉を運搬するに際しては、図２に示すように、例えば、台車３の可動天板３１を前方向へ移動させて台車３の上・下方向の高さを寸法Ｈ２にした状態、すなわち、可動天板３１を低位置に位置させた状態で、パチンコ玉収容箱１３を載せた載台２に台車３の前端部３ａを載台２の案内スペース２ｄの開口２ｆに向けて、載台２の載置面２１ａが台車３の可動天板３１の上に位置するように、台車３を進入させる。そして、後記ペダル３６を足で踏んで、図３に示すように、可動天板３１を上方向かつ後方向（台車３のハンドル３５のある側）に移動させる。この可動天板３１の移動で、載台２の両側壁脚部２２を遊戯場の床面２５から上方向へ離間させることにより、載台２を可動天板３１の上に載置支持させる。この状態で、ハンドル３５を操って、台車３を遊技場内の所望の位置まで運搬する。
【００２１】
固定フレーム３２に板止め３３、ペダル３６が取り付けられ、ペダル３６にはペダルレバー４３が設けられている。全方位回転可能な自在車輪３８と直進性車輪３７の組み合わせにより台車３を希望の場所に運搬することができる。車輪は、全て全方位回転可能な自在車輪にすることもできるし、直進性の車輪にすることもできる。少なくとも、１対の車輪は、全方位回転可能な自在車輪にするのが好ましい。運搬に際しては、ハンドル３５を人力で押すか引くかして、台車３を移動させることができる。ペダルレバー４３を引き上げて、ペダル３６を上方にあげることにより、可動天板３１の位置を後方向かつ下方向に移動させることができる。
【００２２】
図２、図３において、ペダル３６は、固定フレーム３２に取り付けられた軸４２と一体的に接続されている。軸４２と、これと前後方向に離間して固定フレーム３２に取り付けられた軸４３とには、リンク３９，４０の下端部が連結され、リンク３９，４０の上端部は、可動天板３１に前後方向へ離間して取り付けられた軸４４，４５に連結されている。リンク３９は、これと固定フレーム３２との間に取り付けられたばね４１により、リンク３９が常時、前方向へ揺動するように付勢させることができる。ペダル３６を操作することにより、軸４２を回転させるとともに、軸４２，４３を中心としてリンク３９，４０を前・後方向へ揺動させ、これによって、可動天板３１を前方向かつ下方向へ、その反対に、後方向かつ上方向へ、交互に移動させることができる。
【００２３】
図２において、載台２を載せる前の状態、すなわち、可動天板３１が前方向に位置し、台車３が上・下方向の高さ寸法Ｈ２に位置する状態（低位置）を示している。この状態では、ペダル３６は上方向に位置している。ペダル３６を例えば足で踏むと、ペダル３６に繋がる軸４２が回転し、同時に、図３に示すように、軸４２，４３に支持されているリンク３９，４０がそれら軸を中心に後方向へ揺動する。リンク３９，４０の揺動に伴って、可動天板３１が後方向かつ上方向に移動し、台車３が上・下方向の高さ寸法Ｈ３に位置する状態〈高位置〉になる。前記低位置と高位置との間における過程で、リンク３９，４０が垂直になった時点が、可動天板３１が最高位に達するところである。可動天板３１の位置が最高位をやや過ぎたところで、可動天板３１は、固定フレーム３２の板止め３３に可動天板３１の台止め３４が衝接し、可動天板３１はその移動を停止する。
【００２４】
ばね４１は設けなくてもよいが、ばね４１を設けることにより、ほとんど人力を必要とせずに可動天板３１の位置を原位置、図２に示すように、可動天板３１が前方向に位置する状態に戻すことができる。
【００２５】
図３において、リンク３９，４０は、軸４２，４３を中心に後方向へ揺動している。リンク３９，４０をこのようにそれらの垂直の位置よりやや行き過ぎた位置で停止することにより、可動天板３１を安定した状態に保持することができる。リンクが垂直になる位置では、リンクが後方向又は前方向に揺動しやすく可動天板が不安定な位置にある。リンク３９，４０を垂直の位置からやや行き過ぎたところで停止すると、可動天板３１は安定した状態で保持される。このときリンク３９，４０が垂線となす角度は、１〜４５度であり、好ましくは１〜１５度である。角度が小さいと、可動天板３１が不安定になり、角度が大きいと可動天板を原位置に戻す際に大きな力が必要となるからである。
【００２６】
このようにリンク３９，４０の停止位置は重要なものである。リンク３９，４０の停止位置を確実なものにするために、固定フレーム３２の後端部３ｂの近傍に板止め３３が設けられている。板止め３３に可動天板３１が衝接することにより、可動天板３１が停止する。可動天板３１が停止した位置において、リンク３９，４０が垂線となす角度は、１〜４５度であり、１〜１５度とするのが好ましい。実際には、可動天板３１に載置するパチンコ玉の量（重量）、少なくとも、パチンコ玉を収容したパチンコ玉収容箱一個の重量とばねの強さ等の関係において適宜決めるのがよい。
【００２７】
前記板止め３３の移動位置を調節する機構を備えることができる。パチンコ玉収容箱１３を台車３に載置した場合、先に述べたように、可動天板３１の位置は後方向に移動し板止め３３で係止されている。台車３に載置されたパチンコ玉の量が少ない場合には、ばねの強さ等の関係で可動天板３１の係止状態が不十分で可動天板３１が前方向に移動する可能性がある。このような場合には、可動天板３１の係止位置を更に後方向に設けるのがよい。そのためには、板止め３３の位置を調節する機構が有効である。この機構については、例えば、図６（ａ）のように板止め３３の係止位置を予めＡ，Ｂ，Ｃのごとく複数箇所きめておいて、板止め３３をその位置に差し込むようにしてもよいし、図６（ｂ）のように板止め３３の前後をねじ５０，５１で挟むように止め、ねじ５０，５１により板止め３３の位置を調節してもよい。
【図面の簡単な説明】
【００２８】
【図１】パチンコ玉運搬車を構成する台車と載台の斜視図。
【図２】台車の可動天板を前方向へ移動した状態の側面図。
【図３】台車の可動天板を後方向へ移動した状態の側面図。
【図４】台車の概略下面図。
【図５】台車の概略上面図。
【図６】可動天板の移動位置調節機構の例の模式図。
【符号の説明】
【００２９】
１              運搬車
２              載台
２ａ，２ｂ      第１，第２端部
２ｃ            両側縁部
２ｄ            案内スペース
２ｅ，２ｆ      第１，第２開口
３              台車
３ａ            前端部
３ｂ            後端部
３ｃ            側縁部
１３            パチンコ玉収容箱
２１            載置天板部
２１ａ          載置面
２２            側壁脚部
２３，２４      箱止め
３１            可動天板
３２            固定フレーム
３３            板止め
３４            台止め
３５            ハンドル
３７，３８      車輪
３９，４０      リンク
４２，４３，４４，４５      軸
Ｈ１            案内スペースの高さ寸法
Ｈ２            台車の低位置における高さ寸法
Ｈ３            台車の高位置における高さ寸法
Ｗ１            案内スペースの横方向の寸法
Ｗ２            台車の横方向の寸法
【図１】
2007313366.tif 000003
【図２】
2007313366.tif 000004
【図３】
2007313366.tif 000005
【図４】
2007313366.tif 000006
【図５】
2007313366.tif 000007
【図６】
2007313366.tif 000008